(57)【要約】  電動機は、遠心圧縮機を駆動するように構成される。電動機は、固定子と、回転子と、シャフトとを含む。シャフトは、圧力ダム軸受（２３０、２４０）によって支持される。圧力ダム軸受は、潤滑剤で潤滑される。潤滑剤は、圧力ダム軸受内において潤滑剤のくさびを形成し、潤滑剤のくさびは、シャフトに上向きの力を作用させる。上向きの力は、ある量の振動を電動機内で発生させる。圧力ダム軸受は、潤滑剤の一部を保持し、且つシャフトに下向きの力を作用させるように構成された圧力ダム（２３２、２４２）を含む。下向きの力は、上向きの力と釣り合い、且つ電動機内における振動の量を減らし、従ってより大きい流体力学的安定性を達成する。
2020514645.tif 000002
【特許請求の範囲】
【請求項１】
遠心圧縮機を駆動するように構成された電動機を含む電動機アセンブリであって、
ＡＣ電力を受け、且つ磁場を生成するように構成された固定子と、
前記磁場によって生成された電磁力に応じて、軸を中心に回転するように構成された回転子と、
前記回転子に接続され、且つ前記遠心圧縮機を駆動するように構成されたシャフトであって、圧力ダム軸受によって支持されるシャフトと
を含み、
前記圧力ダム軸受は、潤滑剤で潤滑され、前記潤滑剤は、前記圧力ダム軸受内において潤滑剤のくさびを形成し、前記潤滑剤のくさびは、前記シャフトに上向きの力を作用させ、前記上向きの力は、ある量の振動を前記電動機内で発生させ、
前記圧力ダム軸受は、前記潤滑剤の一部を保持するように構成された圧力ダムを含み、前記圧力ダムは、前記シャフトに下向きの力を作用させるようにさらに構成され、前記下向きの力は、前記上向きの力と釣り合って、前記電動機内における前記振動の量を減らす、電動機アセンブリ。
【請求項２】
前記電動機は、前記遠心圧縮機を直接駆動するように構成される、請求項１に記載の電動機アセンブリ。
【請求項３】
前記電動機は、チラーアセンブリの一部として動作し、前記チラーアセンブリは、液体冷媒を冷媒蒸気に変換するように構成された蒸発器と、前記冷媒蒸気を液体冷媒に変換するように構成された凝縮器とを含む、請求項１に記載の電動機アセンブリ。
【請求項４】
前記チラーアセンブリは、前記蒸発器からの前記冷媒蒸気を前記遠心圧縮機に移送するように構成された吸引ラインと、前記遠心圧縮機からの前記冷媒蒸気を前記凝縮器に移送するように構成された放出ラインとをさらに含む、請求項３に記載の電動機アセンブリ。
【請求項５】
前記遠心圧縮機は、羽根車を含み、前記羽根車は、前記シャフトに接続され、且つ前記冷媒蒸気の圧力を上昇させるように構成される、請求項４に記載の電動機アセンブリ。
【請求項６】
前記チラーアセンブリは、前記電動機に前記ＡＣ電力を提供するように構成された可変速駆動装置（ＶＳＤ）をさらに含む、請求項５に記載の電動機アセンブリ。
【請求項７】
前記圧力ダム軸受は、２つの円弧片を有する、請求項１に記載の電動機アセンブリ。
【請求項８】
前記２つの円弧片のそれぞれは、１１°〜２７°の範囲の弧の長さを有する、請求項７に記載の電動機アセンブリ。
【請求項９】
前記２つの円弧片は、１８０°の弧の長さだけ離れている、請求項１に記載の電動機アセンブリ。
【請求項１０】
前記圧力ダムのそれぞれは、０．１５ミリメートル〜０．２０ミリメートルの範囲の深さを有する、請求項９に記載の電動機アセンブリ。
【請求項１１】
前記圧力ダムは、１４０°〜１５０°の範囲の弧の長さを有する、請求項１に記載の電動機アセンブリ。
【請求項１２】
前記圧力ダム軸受は、０．０８ミリメートル〜０．１２ミリメートルの範囲の隙間の直径を有する、請求項１に記載の電動機アセンブリ。
【請求項１３】
前記潤滑剤のくさびは、前記シャフトに第１の横方向の力を作用させ、前記第１の横方向の力の方向は、前記シャフトの回転方向に依存する、請求項１に記載の電動機アセンブリ。
【請求項１４】
前記圧力ダムは、前記シャフトに第２の横方向の力を作用させ、前記第２の横方向の力は、前記第１の横方向の力の反対方向に作用される、請求項１３に記載の電動機アセンブリ。
【請求項１５】
前記圧力ダムは、前記圧力ダム軸受の孔の上面に配置される、請求項１に記載の電動機アセンブリ。
【請求項１６】
チラーアセンブリであって、
液体冷媒を冷媒蒸気に変換するように構成された蒸発器と、
前記冷媒蒸気を前記液体冷媒に変換するように構成された凝縮器と、
前記蒸発器からの前記冷媒蒸気を遠心圧縮機に移送するように構成された吸引ラインと、
前記遠心圧縮機からの前記冷媒蒸気を前記凝縮器に移送するように構成された放出ラインと、
前記遠心圧縮機を駆動するように構成された電動機を含む電動機アセンブリであって、
ＡＣ電力を受け、且つ磁場を生成するように構成された固定子と、
前記磁場によって生成された電磁力に応じて、軸を中心に回転するように構成された回転子と、
前記回転子に接続され、且つ前記遠心圧縮機を駆動するように構成されたシャフトであって、圧力ダム軸受によって支持されるシャフトと
を含む電動機アセンブリと
を含み、
前記圧力ダム軸受は、潤滑剤で潤滑され、前記潤滑剤は、前記圧力ダム軸受内において潤滑剤のくさびを形成し、前記潤滑剤のくさびは、前記シャフトに上向きの力を作用させ、前記上向きの力は、ある量の振動を前記電動機内で発生させ、
前記圧力ダム軸受は、圧力ダムを含み、前記圧力ダムは、前記潤滑剤の一部を保持するように構成され、前記圧力ダムは、前記シャフトに下向きの力を作用させるようにさらに構成され、前記下向きの力は、前記上向きの力と釣り合い、且つ前記電動機内における前記振動の量を減らす、チラーアセンブリ。
【請求項１７】
前記圧力ダムは、０．１５ミリメートル〜０．２０ミリメートルの範囲の深さを有する、請求項１６に記載のチラーアセンブリ。
【請求項１８】
前記圧力ダムは、１４０°〜１５０°の範囲の弧の長さを有する、請求項１６に記載のチラーアセンブリ。
【請求項１９】
前記潤滑剤のくさびは、前記シャフトに第１の横方向の力を作用させ、前記第１の横方向の力の方向は、前記シャフトの回転方向に依存し、前記圧力ダムは、前記シャフトに第２の横方向の力を作用させ、前記２の横方向の力は、前記第１の横方向の力の反対方向に作用される、請求項１６に記載のチラーアセンブリ。
【請求項２０】
遠心圧縮機を駆動するように構成された電動機を含む電動機アセンブリを提供するステップであって、前記電動機アセンブリは、
ＡＣ電力を受け、且つ磁場を生成するように構成された固定子と、
前記磁場によって生成された電磁力に応じて、軸を中心に回転するように構成された回転子と、
前記回転子に接続され、且つ前記遠心圧縮機を駆動するように構成されたシャフトであって、圧力ダム軸受によって支持されるシャフトと
を含む、ステップを含む方法であって、
前記圧力ダム軸受は、潤滑剤で潤滑され、前記潤滑剤は、前記圧力ダム軸受内において潤滑剤のくさびを形成し、前記潤滑剤のくさびは、前記シャフトに上向きの力を作用させ、前記上向きの力は、ある量の振動を前記電動機内で発生させ、
前記圧力ダム軸受は、圧力ダムを含み、前記圧力ダムは、前記潤滑剤の一部を保持するように構成され、前記圧力ダムは、前記シャフトに下向きの力を作用させるようにさらに構成され、前記下向きの力は、前記上向きの力と釣り合い、且つ前記電動機内における前記振動の量を減らす、方法。
【発明の詳細な説明】
【技術分野】
【０００１】
関連出願の相互参照
本出願は、２０１７年３月２４日に出願された米国仮特許出願第６２／４７６，４４１号明細書の利益及びそれに対する優先権を主張するものであり、その開示全体が参照により本明細書に組み込まれる。
【背景技術】
【０００２】
建物は、暖房、換気及び空調（ＨＶＡＣ）システムを含むことができる。
【発明の概要】
【課題を解決するための手段】
【０００３】
本開示の１つの実装形態は、遠心圧縮機を駆動するように構成された電動機を含む電動機アセンブリである。電動機は、ＡＣ電力を受け、且つ磁場を生成するように構成された固定子を含む。電動機は、磁場によって生成された電磁力に応じて、軸を中心に回転するように構成された回転子をさらに含む。電動機は、回転子に接続され、且つ遠心圧縮機を駆動するように構成されたシャフトをさらに含む。シャフトは、圧力ダム軸受によって支持される。圧力ダム軸受は、潤滑剤で潤滑される。潤滑剤は、圧力ダム軸受内において潤滑剤のくさびを形成する。潤滑剤のくさびは、シャフトに上向きの力を作用させる。上向きの力は、ある量の振動を電動機内で発生させる。圧力ダム軸受は、潤滑剤の一部を保持するように構成された圧力ダムを含む。圧力ダムは、シャフトに下向きの力を作用させるようにさらに構成される。下向きの力は、上向きの力と釣り合い、且つ電動機内における振動の量を減らす。
【０００４】
本開示の別の実装形態は、チラーアセンブリである。チラーアセンブリは、液体を蒸気に変換するように構成された蒸発器を含む。チラーアセンブリは、蒸気を液体に変換するように構成された凝縮器をさらに含む。チラーアセンブリは、蒸発器からの蒸気を遠心圧縮機に移送するように構成された吸引ラインをさらに含む。チラーアセンブリは、遠心圧縮機からの蒸気を凝縮器に移送するように構成された放出ラインをさらに含む。チラーアセンブリは、遠心圧縮機を駆動するように構成された電動機を含む電動機アセンブリをさらに含む。電動機は、ＡＣ電力を受け、且つ磁場を生成するように構成された固定子を含む。電動機は、磁場によって生成された電磁力に応じて、軸を中心に回転するように構成された回転子をさらに含む。電動機は、回転子に接続され、且つ遠心圧縮機を駆動するように構成されたシャフトをさらに含む。シャフトは、圧力ダム軸受によって支持される。圧力ダム軸受は、潤滑剤で潤滑される。潤滑剤は、圧力ダム軸受内において潤滑剤のくさびを形成する。潤滑剤のくさびは、シャフトに上向きの力を作用させる。上向きの力は、ある量の振動を電動機内で発生させる。圧力ダム軸受は、潤滑剤の一部を保持するように構成された圧力ダムを含む。圧力ダムは、シャフトに下向きの力を作用させるようにさらに構成される。下向きの力は、上向きの力と釣り合い、且つ電動機内における振動の量を減らす。
【０００５】
本開示の別の実装形態は、方法である。本方法は、遠心圧縮機を駆動するように構成された電動機を含む電動機アセンブリを提供するステップを含む。電動機は、ＡＣ電力を受け、且つ磁場を生成するように構成された固定子を含む。電動機は、磁場によって生成された電磁力に応じて、軸を中心に回転するように構成された回転子をさらに含む。電動機は、回転子に接続され、且つ遠心圧縮機を駆動するように構成されたシャフトをさらに含む。シャフトは、圧力ダム軸受によって支持される。圧力ダム軸受は、潤滑剤で潤滑される。潤滑剤は、圧力ダム軸受内において潤滑剤のくさびを形成する。潤滑剤のくさびは、シャフトに上向きの力を作用させる。上向きの力は、ある量の振動を電動機内で発生させる。圧力ダム軸受は、潤滑剤の一部を保持するように構成された圧力ダムを含む。圧力ダムは、シャフトに下向きの力を作用させるようにさらに構成される。下向きの力は、上向きの力と釣り合い、且つ電動機内における振動の量を減らす。
【図面の簡単な説明】
【０００６】
【図１】チラーアセンブリの図である。
【０００７】
【図２】図１のチラーアセンブリ内にある誘導電動機の図である。
【０００８】
【図３】図２の電動機の駆動端に取り付けられた圧力ダム軸受の図である。
【０００９】
【図４】図３の軸受の別の図である。
【００１０】
【図５】図３の軸受の断面図である。
【００１１】
【図６】図２の電動機の非駆動端に取り付けられた圧力ダム軸受の図である。
【００１２】
【図７】図６の軸受の別の図である。
【００１３】
【図８】図６の軸受の断面図である。
【００１４】
【図９】図３の軸受及び図６の軸受に関連する寸法特性の図である。
【００１５】
【図１０】図３の軸受及び図６の軸受に関連する圧力プロファイルの図である。
【発明を実施するための形態】
【００１６】
概して図を参照すると、圧縮機を駆動するように構成された電動機アセンブリが示されている。本明細書で電動機と呼ばれ得る電動機アセンブリは、チラーアセンブリの一部として遠心圧縮機を直接駆動するように構成された高速誘導電動機を含むことができる。チラーアセンブリは、ＨＶＡＣシステムにおいて冷媒の蒸気圧縮サイクルを行うように構成され得る。電動機は、電動機の駆動端に配置された第１の圧力ダム軸受と、電動機の非駆動端に配置された第２の圧力ダム軸受とを含む。圧力ダム軸受は、潤滑剤が差され、電動機のシャフトに下向きの力を作用させるように構成された圧力ダムを含む。下向きの力は、軸受内に形成された潤滑剤のくさびにより電動機のシャフトに作用される上向きの力と釣り合うことができる。その結果、システムは、より大きい安定性を達成し、オイルホワールなどの影響によって発生される振動を回避できる。加えて、圧力ダム軸受は、回転子の動力学を改善するために、幅広い動作速度範囲で十分な剛性を維持できる。圧力ダム軸受は、様々な電動機の構成要素（例えば、シャフト、回転子、固定子）の寿命を延ばすと共に、チラーアセンブリの効率及び性能を高めることができる。
【００１７】
特に図１を参照すると、チラーアセンブリ１００の例示的な実装形態が示されている。チラーアセンブリ１００は、電動機１０４によって駆動される圧縮機１０２と、凝縮器１０６と、蒸発器１０８とを含むことが示されている。冷媒は、蒸気圧縮サイクルでチラーアセンブリ１００を通して循環される。チラーアセンブリ１００は、チラーアセンブリ１００内の蒸気圧縮サイクルの動作を制御するための制御パネル１１４も含み得る。制御パネル１１４は、保守、分析などに関連する様々なデータを共有するために電子ネットワークに接続され得る。
【００１８】
電動機１０４は、可変速駆動装置（ＶＳＤ）１１０によって動力を供給され得る。ＶＳＤ  １１０は、ＡＣ電源（図示せず）から特定の固定ライン電圧及び固定ライン周波数を有する交流（ＡＣ）電力を受け、可変電圧及び周波数を有する電力を電動機１０４に提供する。電動機１０４は、ＶＳＤ  １１０によって動力の供給を受けることが可能な任意のタイプの電動機であり得る。例えば、電動機１０４は、高速誘導電動機であり得る。圧縮機１０２は、電動機１０４により駆動されて、吸引ライン１１２を介して蒸発器１０８から受けた冷媒蒸気を圧縮する。次いで、圧縮機１０２は、圧縮された冷媒蒸気を、放出ラインを介して凝縮器１０６に送る。圧縮機１０２は、遠心圧縮機、スクリュー式圧縮機、スクロール式圧縮機、タービン式圧縮機又は任意の他のタイプの適切な圧縮機であり得る。
【００１９】
蒸発器１０８は、内部チューブバンドル（図示せず）と、内部チューブバンドルにプロセス流体を供給するための供給ライン１２０と、内部チューブバンドルからプロセス流体を排出するための戻りライン１２２とを含む。供給ライン１２０及び戻りライン１２２は、プロセス流体を循環させる導管を介してＨＶＡＣシステム内の構成要素（例えば、エアハンドラ）と流体連通し得る。プロセス流体は、建物を冷却するための冷却液であり、水、エチレングリコール、塩化カルシウムブライン、塩化ナトリウムブライン又は任意の他の適切な液体であり得るが、これらに限定されない。蒸発器１０８は、プロセス流体が蒸発器１０８のチューブバンドルを通過し、冷媒と熱を交換するときにプロセス流体の温度を下げるように構成される。冷媒液が蒸発器１０８に送られて、プロセス流体と熱を交換し、冷媒蒸気への相変化を経ることにより、蒸発器１０８内で冷媒蒸気が形成される。
【００２０】
圧縮機１０２によって凝縮器１０６に送られた冷媒蒸気は、熱を流体に伝達する。冷媒蒸気は、流体との熱伝達の結果、凝縮器１０６で凝縮して冷媒液になる。凝縮器１０６からの冷媒液は、膨張装置を通って流れ、蒸発器１０８に戻されて、チラーアセンブリ１００の冷媒のサイクルが完了する。凝縮器１０６は、凝縮器１０６と、ＨＶＡＣシステムの外部の構成要素（例えば、冷却塔）との間で流体を循環させるための供給ライン１１６及び戻りライン１１８を含む。戻りライン１１８を介して凝縮器１０６に供給される流体は、凝縮器１０６内の冷媒と熱交換し、供給ライン１１６を介して凝縮器１０６から排出されて、サイクルを完了する。凝縮器１０６を循環する流体は、水又は任意の他の適切な液体であり得る。
【００２１】
ここで、図２を参照すると、電動機１０４のより詳細な図が示されている。電動機１０４は、遠心圧縮機（すなわち圧縮機１０２）を直接駆動するように構成された高速誘導電動機であり得る。電動機１０４は、シャフト２１２と、回転子２１４と、固定子２１６とを含むことが示されている。固定子２１６は、（例えば、ＶＳＤ  １１０から）ＡＣ電力を供給され、磁場を生成できる巻線を含む。磁場は、回転子２１４の軸の周りにトルクを生じる電磁力を誘導することができる。その結果、回転子２１４及びシャフト２１２は、円運動で回転し始める。シャフト２１２は、直接駆動機構２１８を介して圧縮機１０２の羽根車２２０に接続され得る。従って、羽根車２２０は、圧縮機１０２内の冷媒蒸気の圧力を上昇させるために高速で回転するように構成され得る。
【００２２】
一部の用途では、単純な平穴スタイルの流体膜軸受で支持された軽負荷の回転子シャフトは、回転子の動的不安定性及び振動の影響を受け得る。電動機１０４は、電動機１０４の駆動端に配置された第１の圧力ダム軸受２３０と、電動機１０４の非駆動端に配置された第２の圧力ダム軸受２４０とを含むことが示されている。軸受２３０及び２４０は、シャフト２１２を支持し、油又は別のタイプの潤滑剤で潤滑され得る。電動機１０４が通電され、シャフト２１２が回転し始めると、シャフト２１２は、軸受２３０及び２４０の内側を被覆する潤滑剤の薄膜に支えられて回転することができる。この潤滑剤のくさびは、シャフト２１２の下にかなりの圧力を発生させ、この圧力により、シャフト２１２が上方向に押しやられる。加えて、回転方向に応じて、潤滑剤のくさびは、シャフト２１２をわずかに横方向にも押しやり得る。シャフト２１２に作用する圧力の量は、回転子２１４の速度、回転子２１４の重量、潤滑剤の圧力及び他の様々な要因に応じて変わり得る。システムに外乱がもたらされると、シャフト２１２がその平衡位置から外れ、潤滑剤が不安定なオイルホワール効果を引き起こし得る。オイルホワール効果は、シャフトを旋回する経路に追いやり、シャフト２１２の回転速度の約半分の周波数で振動を生じさせる。結果として、電動機１０４の特定の構成要素がより早期に摩耗し、電動機１０４の全体的な性能が低下し得る。潤滑剤のくさびによりシャフト２１２に作用する上向きの力と釣り合うために、軸受２３０及び２４０には、軸受の孔の上（すなわち負荷のかからない）半分に圧力ダムが組み込まれている。これらの圧力ダムは、潤滑剤の一部を保持し、シャフト２１２に下向きの力を生じることができる。この流体力学的安定化力は、上向きの力に釣り合うために潤滑剤のくさびに十分な負荷をかけることができ、従って軸受２３０及び２４０内のシャフト２１２を安定させることができる。軸受２３０及び２４０の圧力ダムの設計及び圧力プロファイルに関するさらなる詳細については、図９及び図１０を参照して後に説明する。
【００２３】
ここで、図３を参照すると、圧力ダム軸受２３０の図が示されている。軸受２３０は、２つの円弧片（ｌｏｂｅ）と２つの軸方向溝とを含む流体力学的ジャーナル軸受である。図３では、軸方向溝２３４を見ることができるが、第２の軸方向溝（すなわち軸方向溝２３６）は、軸方向溝２３４の直接向かい側（すなわち１８０°）にあるため、示されていない。また、図３には、電動機１０４の動作中にシャフト２１２に下向きの力を生じるように構成された圧力ダム２３２も示されている。
【００２４】
ここで、図４を参照すると、圧力ダム軸受２３０の別の図が示されている。図４は、図５の図面を作成するための切断線４００を示す。ここで、図５を参照すると、軸方向溝２３４及び２３６の両方が示されている。加えて、圧力ダム２３２が軸受２３０の孔の上面に沿って示されている。圧力ダム２３２は、弧の長さが約１４０°〜１５０°であることが示されている。この構造に関連する利点のさらなる詳細については、図９及び図１０に関連して後に提示する。
【００２５】
ここで、図６を参照すると、圧力ダム軸受２４０の図が示されている。軸受２４０も、２つの円弧片と２つの軸方向溝とを含む流体力学的ジャーナル軸受である。ただし、図３と同様に、図６では軸方向溝２４４のみを見ることができる。第２の軸方向溝（すなわち軸方向溝２４６）は、軸方向溝２４４の直接向かい側にある。加えて、圧力ダム２４２が軸受２４０の孔の上面（すなわち負荷のかからない半分）に沿って示されている。圧力ダム２３２と同様に、圧力ダム２４２は、電動機１０４の動作中にシャフト２１２に下向きの力を生じるように構成され得る。この下向きの圧力は、軸受２４０内で潤滑剤のくさびによって生じるシャフト２１２に対する上向きの圧力と釣り合うのに役立つ。
【００２６】
ここで、図７を参照すると、圧力ダム軸受２４０の別の図が示されている。図４と同様に、図７は、図８の図面を作成するための切断線７００を示す。ここで、図８を参照すると、軸方向溝２４４及び２４６の両方を見ることができる。加えて、圧力ダム２４２が軸受２４０の孔の上面に沿って示され、その弧の長さが約１４０°〜１５０°であることが示されている。この構造に関連する利点のさらなる詳細については、図９及び図１０に関して後に提示する。
【００２７】
ここで、図９を参照すると、例示的な圧力ダム軸受９００に関連する寸法特性の図が示されている。軸受９００は、軸受２３０及び２４０と同一又は略同一であり得、軸受２３０及び２４０に関連する様々な特徴及び寸法関係を推測できる例として提示されている。例えば、軸受９００は、圧力ダム９０２（例えば、圧力ダム２３２及び２４２と同様）と、２つの軸方向溝９０４及び９０６（例えば、軸方向溝２３４／２３６及び２４４／２４６と同様）とを含むことが示されている。図９に示す各変数の説明を以下の表１に示す。表１の各変数について、本開示と一致する典型的な値が含まれている。
【表１】
2020514645.tif 000003
【００２８】
ここで、図１０を参照すると、圧力ダム軸受２３０及び２４０に関連する圧力プロファイル１０００の図が示されている。圧力プロファイル１０００は、矢印１００２及び１００４を含むことが示されている。矢印１００２は、シャフト２１２の回転方向を表す。この場合、シャフト２１２は、反時計回りに回転している。矢印１００４は、軸受の孔の底面（すなわち負荷のかかる面）上のシャフト２１２の静止重量を表す。圧力領域１００８は、軸受の孔の負荷のかかる半分に形成された潤滑剤のくさびを介してシャフト２１２の下に形成される圧力を表す。圧力領域１００８は、潤滑剤のくさびによって形成される圧力もシャフト２１２にわずかな横方向の力を作用させるため、わずかに非対称であることが示されている。この横方向の圧力増加は、正のｘ方向に見られているが、シャフトが時計回りに回転している場合、この横方向の圧力増加は、負のｘ方向になる。圧力領域１００８によってシャフト２１２に作用する上向きの力と釣り合うために、圧力ダム（例えば、圧力ダム２３２又は２４２）は、潤滑剤の一部を収容し、軸受の孔の上面（すなわち負荷のかからない面）に強い圧力領域を生じる。この圧力は、領域１０１０で示されており、圧力ダムの縁部と一致する径方向で最大１００６になる。圧力ダムの弧の長さが約１４０°〜１５０°であるため、最大圧力１００６は、負のｘ方向に見られ、領域１００８に示されている正のｘ方向の横方向圧力の一部又は全部と釣り合うことができる。
【００２９】
圧力プロファイル１０００から推測できるように、圧力ダム２３２及び２４２は、電動機１０４の安定性を高める。その結果、様々な障害がシステムにもたらされたとき、オイルホワール及びオイルウィップなどの悪影響が生じにくくなる。加えて、軸受２３０及び２４０は、安定性を向上させながら、様々な電動機の速度で十分な軸受剛性を実現することができる。圧力ダム軸受２３０及び２４０によって駆動される電動機１０４の「滑らかな」動作により、チラーアセンブリ１００の様々な構成要素がさらなる長寿命を実現し、必要とするメンテナンスを少なくすることが可能になる。圧力ダム軸受２３０及び２４０を使用することにより、チラーアセンブリ１００の全体的な効率及び性能を高めることができる。
【００３０】
様々な例示的な実施形態に示されているシステム及び方法の構築及び構成は、例示的なものにすぎない。本開示では、例示的な実施形態のみを詳細に説明したが、多くの修正形態が可能である（例えば、サイズ、寸法、構造、様々な要素の形状及び割合、パラメータの値、取り付け構成、材料の使用、色、向きなどの変更）。例えば、要素の位置を逆にしたり、他の方法で変えたりすることができ、個別の要素又は位置の性質又は数を変更するか又は変化させることができる。従って、このような修正形態は、本開示の範囲内に含まれることが意図されている。任意のプロセス又は方法ステップの順番又は順序は、代替的な実施形態に従って変更又は再順序付けされ得る。本開示の範囲から逸脱することなく、例示的な実施形態の設計、動作条件及び構成における他の置換形態、修正形態、変更形態及び省略形態がなされ得る。
【図１】
2020514645.tif 000004
【図２】
2020514645.tif 000005
【図３】
2020514645.tif 000006
【図４】
2020514645.tif 000007
【図５】
2020514645.tif 000008
【図６】
2020514645.tif 000009
【図７】
2020514645.tif 000010
【図８】
2020514645.tif 000011
【図９】
2020514645.tif 000012
【図１０】
2020514645.tif 000013
【国際調査報告】
2020514645.tif 000014
2020514645.tif 000015